(57)【特許請求の範囲】
【請求項１】
複数の筒部と、複数の蓋部から成り、
該筒部の形状は端部が解放された円筒であって、両端部には、螺子部があり、
該蓋部には、一面または両面に螺子部があり、
該筒部の螺子部と、該蓋部の螺子部は、螺合可能であり、
複数の該筒部と、複数の該蓋部を、螺合により一体化することによって、複数の遺骨を、それぞれ異なる領域に封止可能であることを特徴とする骨壺。
【請求項２】
複数の前記筒部は、軸方向の長さが異なることを特徴とする請求項１に記載の骨壺。
【請求項３】
前記筒部及び前記蓋部の材質は、アルミニューム、又は、ステンレスであることを特徴とする請求項１又は請求項２に記載の骨壺。
【請求項４】
前記筒部の軸方向に自立可能であることを特徴とする請求項１から請求項３のいずれかに記載の骨壺。
【請求項５】
前記筒部の螺子部は、両端が雌螺子であり、前記蓋部の螺子部は、一面又は両面が雄螺子であることを特徴とする請求項１から請求項４のいずれかに記載の骨壺。
【請求項６】
前記筒部の螺子部は、一方が雌螺子であり、他方が雄螺子であり、前記蓋部の螺子部は、両面の一方が雌螺子であり、他方が雄螺子であることを特徴とする請求項１から請求項４のいずれかに記載の骨壺。
【発明の詳細な説明】
【技術分野】
【０００１】
本発明は、骨壺に関し、詳しくは、複数の遺骨を隣り合って共に安置し得る骨壷に関するものである。
【背景技術】
【０００２】
近年、人口の大都市集中や少子高齢化等によって、墓を個人所有することができないことが多くなっている。その際、一手段として、納骨堂への合祀がある。納骨堂への骨壺の収容は、空きスペースへ順に配置されていくことが多い。従って、配偶者や近親者が隣り合って配置されることが少なく、合祀をためらうこともある。また、一般的な墓であっても、配偶者等を常に最も近くに配置して欲しいとの要望もある。
【０００３】
隣り合う配置の方法として、１つの外装部内に複数の遺骨収納領域を持ち、複数の遺骨を領域ごとに収納することで複数の故人の遺骨を収納する技術が提案され、公知となっている（特許文献１参照）。
しかしながら、該技術提案によれば、外装内の容量が限られることから、同時に収容できる個体数に限りがある。
そこで、納骨において、複数の遺骨を、混在することなく、一体に収納することが出来ると共に、収容する個体数に制限がない構成が求められていた。
【先行技術文献】
【特許文献】
【０００４】
【特許文献１】特開２０１８−８９１２６号公報
【発明の概要】
【発明が解決しようとする課題】
【０００５】
本発明は、上記問題点、すなわち、納骨堂などへの骨壺の収容等において、配偶者や近親者が隣り合って安置することが難しいという問題点に鑑み、複数の骨壺を一体化することによって課題を解決するものである。
【課題を解決するための手段】
【０００６】
上記課題を解決するため、本発明に係る骨壺は、複数の筒部と、複数の蓋部から成り、筒部の形状は端部が解放された円筒であって、両端部には、螺子部があり、蓋部には、一面または両面に螺子部があり、筒部の螺子部と、蓋部の螺子部は、螺合可能であり、複数の筒部と、複数の蓋部を、螺合により一体化することによって、複数の遺骨を、それぞれ、異なる領域に封止可能であることを手段とする。
【０００７】
また、本発明に係る骨壺は、複数の筒部について、軸方向の長さが異なることを手段とする。
【０００８】
さらに、本発明に係る骨壺は、筒部及び蓋部の材質が、アルミニューム、又は、ステンレスであることを手段とする。
【０００９】
またさらに、本発明に係る骨壺は、筒部の軸方向に自立可能であることを手段とする。
【００１０】
さらにまた、本発明に係る骨壺は、筒部の螺子部が、両端とも雌螺子であり、蓋部の螺子部は、一面又は両面とも雄螺子であることを手段とする。
【００１１】
そしてまた、本発明に係る骨壺は、筒部の螺子部が、一方が雌螺子であり、他方が雄螺子であり、蓋部の螺子部は、両面の一方が雌螺子であり、他方が雄螺子であることを手段とする。
【発明の効果】
【００１２】
本発明に係る骨壺によれば、複数の遺骨を、混在することなく、一体として、個体数に制限なく共に収納することができるので、配偶者や近親者、ペット等を確実に、隣接して安置することができる。
【図面の簡単な説明】
【００１３】
【図１】本発明に係る骨壺の実施例の全体斜視図である。
【図２】本発明に係る骨壺の実施例の正面図である。
【図３】本発明に係る骨壺の実施例のバリエーションの模式図である。
【図４】本発明に係る骨壺の組み立て手順を示す図である。
【図５】本発明に係る骨壺の他の実施例の斜視図である。
【図６】本発明に係る骨壺の他の実施例の正面図である。
【発明を実施するための形態】
【００１４】
本発明に係る骨壺は、納骨において、複数の遺骨を、混在することなく、一体に収納することが出来ると共に、収容する個体数に制限がない構成としたことを最大の特徴とする。
以下、本発明に係る骨壺の実施形態を、図面に基づいて説明する。
【００１５】
なお、本実施例で示される骨壺の全体形状及び各部の形状は、下記に述べる実施例に限定されるものではなく、本発明の技術的思想の範囲内、即ち、同一の作用効果を発揮できる形状及び寸法の範囲内で変更することができるものである。
【実施例１】
【００１６】
図１から図４に従って、本発明を説明する。
図１は、本発明に係る骨壺の実施例の全体斜視図である。図２は、骨壺の正面図である。図３は、骨壺の形態のバリエーションを示す模式図である。図４は、骨壺の組み立て手順を示す図である。
骨壺１は、複数の筒型の形状の集合体であり、複数の筒型が軸方向に連なり、全体として、１つの筒型を形成する構造である。この構造により、複数の遺骨を混在することなく、一体に安置するものである。骨壺１は、所定の底面積を持つ筒状であることから、納骨堂内で自立可能であり、設置時の作業が容易である。
骨壺１は、筒部１０と蓋部４０とから構成されている。
【００１７】
筒部１０は、遺骨７０を収納する容器である。筒型であり、端部は解放されている。両端部の内側には、蓋部４０と螺合するための雌螺子部１１が切られている。筒の形状は、形状をシンプルにできる円筒である。筒部１０の大きさは、収納する遺骨７０の容積によって、複数の種類を持つ。人の遺骨７０の場合は、例えば、円筒の直径を１２０ｍｍ、軸方向の長さは２５０ｍｍ、筒の厚さを５ｍｍとすることで、約２リットルの容積を確保することができる。人用の筒部１０は、最も容積が大きい筒部大型２０となる。
遺骨７０は、直接、筒部１０内に収納しても良いし、遺骨７０を袋に入れ、袋を筒部１０内に収納しても良い。また、遺骨７０の収納に際し、粉骨化した上で収納することも可能であり、それにより隙間なく収納可能で容量が増すと共に、収納し易くなる。
【００１８】
ペットも共に安置することも可能である。ペットの種類によって、必要な容量が異なる。例えば、以下のような容量が考えられる。
・ハムスター、小鳥、爬虫類（小さめ）等は０．０４２リットル
・フュレット、モルモット、デグー等は０．０７２リットル
・子猫、子犬、ウサギ、超小型犬等は０．１４８リットル
・猫、小型犬、チワワ等は０．２２９リットル
・小〜中型犬、シーズー、ヨークシャーテリア等は０．３４８リットル
・中型犬、柴犬、ビーグル、シェルティー等は０．６９３リットル
・大型犬、ラブラドール、ゴールデンリバー、ハスキー等は１．１２  リットル
【００１９】
筒部１０の容量をきめ細かく分けてもいいし、例えば、限定して２乃至４種類程度にまとめても良い。例として、大型犬、中型犬用として、軸方向の長さ１８０ｍｍのものを用意する。容量は、約１．５リットルである。ここでは、筒部中型２１と称する。それ以下の大きさのペット用として、軸方向の長さ９０ｍｍのものを用意する。容量は、約０．６リットルである。ここでは、筒部小型２２と称する。
このように、筒部１０の種類として筒部大型２０、筒部中型２１、筒部小型２２の３種類を持つことで、人や様々なペットの遺骨７０に対応することができる。
【００２０】
筒部１０の材質は、アルミニューム、アルミ合金、ステンレスが好適である。軽く腐食しにくいからである。軽いことで、安置作業が容易になる。腐食しにくいことで、安置後の長期間の遺骨７０の保存に耐えることができる。
【００２１】
蓋部４０は、筒部１０の端部を閉じるためのものである。丸棒材を加工して作られる。材質は、筒部１０と同じアルミニューム、アルミ合金、ステンレスが好適である。複数の筒部１０を一体化することから、蓋部４０には、端部用蓋部５０と中間用蓋部５１の２つの種類がある。
【００２２】
端部用蓋部５０は、骨壺１の端部に設けられるものである。筒部１０の底面積とほぼ同じ広さの板面を２面持ち、筒部１０の端部側には、突出した部分を持ち、その部分に筒部１０の雌螺子部１１に対応する雄螺子部４１が形成されている。筒部１０の端部の雌螺子部１１と端部用蓋部５０の雄螺子部４１を螺合することによって、筒部１０の端部が閉じられ、容器となる。
【００２３】
中間用蓋部５１は、２つの筒部１０を接続しつつ、２つの筒部１０の端部を閉じる部材である。中間用蓋部５１の両板面には、突出した部分を持ち、その部分に筒部１０の雌螺子部１１に対応する雄螺子部４１が形成されている。２つの筒部１０の端部と中間用蓋部５１の両面の雄螺子部４１を螺合することによって、２つの筒部１０は一体化し、２つの筒部１０の端部は閉じられ、筒部１０は密閉される。
このように、蓋部４０の螺子部は、一面が雄螺子部４１のものと、両面が雄螺子部４１のものとがある。
【００２４】
骨壺１の形状のバリエーションについて、図３に沿って説明する。
配偶者等と隣り合って安置されたい場合は、図３（ａ）のように、２つの人用の筒部１０である筒部大型２０を２つ用い、上下に接続する。骨壺１の上端と下端は、雌螺子部３１で閉じられ、２つの筒部１０間は、雄螺子部３２で接続され、２つの筒部１０は閉じられている。
【００２５】
人と大型犬の場合を図３（ｂ）に示す。筒部１０は、筒部大型２０と筒部中型２１を用いる。筒部大型２０には、人の遺骨７０を入れ、筒部中型２１には、大型犬の遺骨７０を入れる。筒部１０の端部は、端部用蓋部５０、中間用蓋部５１によって閉じる。
【００２６】
図３（ｃ）、図３（ｄ）は、中型犬以下のペットを複数収納する場合の例である。人の遺骨７０を筒部大型２０に入れ、ペットの遺骨７０を複数の筒部小型２２に分けて入れる。
このように、複数の遺骨７０を、制限無く、一体として収納し、安置することができる。
【００２７】
次に、一人目を収納後、２人目を収納する場合の手順を図４に沿って、説明する。一緒に安置されたい場合であっても、亡くなる時期は異なることが多い。一方が亡くなった後、他方が亡くなった際の収納の手順を示す。
一方を収納する際は、１つの筒部１０の両端を端部用蓋部５０によって閉じる。その後、他方が亡くなった際、筒部１０の上部の端部用蓋部５０を外し、中間用蓋部５１に付け替え、新たに、もう一つの筒部１０を中間用蓋部５１に接続する。新たな筒部１０の中に遺骨７０を入れ、上部を端部用蓋部５０で閉じる。
筒部１０の上部の端部用蓋部５０を外す際、遺骨７０が袋に入っていれば、遺骨７０が露出することなく、作業を行うことができる。
【００２８】
このように、本実施例の骨壺によれば、複数の故人の遺骨を異なる領域に封止可能であり、混在することなく、一体として、個体数に制限なく収納することができるので、配偶者や近親者、ペット等を確実に、隣接して安置することができる。
【００２９】
また、複数の遺骨７０を上下の階層として安置できるので、買主を上、ペットを下の階層とすることで、買主とペットに関係に則した安置を行うことができる。
【００３０】
また、納骨堂を管理する側についても、納骨堂の移転等で骨壺を移動するような場合、隣り合って安置すべき遺骨を、必ず、隣り合って安置できるので作業上の負担が軽減される。
【実施例２】
【００３１】
他の実施例について図５、図６を用いて説明する。実施例１と同様の部分は省略する。図５は、他の実施例の斜視図である。図６は、他の実施例の正面図である。
実施例１によって、複数の遺骨を混在することなく、数の制限もなく、一体として安置することができる。しかしながら、遺骨を追加する際に、先の遺骨の入った容器の蓋を開放しなければならず、永眠を妨げるイメージを持つ場合もある。また、再安置する場合、筒部の表面への氏名等の記載が薄くなると、上下の判断がつきにくい場合もあり、不用意に、逆さに安置してしまう可能性もある。
そこで、先の遺骨を開放することなく、上下の区別がつきやすい構造が求められていた。
【００３２】
本実施例に係る骨壷１は、第２の筒部３０と第２の蓋部６０から構成されている。材質は、実施例１と同じである。
第２の筒部３０は、実施例１と同様に筒状である。上端部の内側には、雌螺子部３１があり、第２の蓋部６０の雄螺子部６１と螺合する。下端部の外側には、雄螺子部３２があり、第２の蓋部６０の雌螺子部６２と螺合する。上端部と下端部で、形状が異なるので、上下を誤ることはない。
【００３３】
第２の蓋部６０は、２つの板部を持ち、一方の板部は突出し、第２の筒部３０の雌螺子部３１に対応する雄螺子部６１を持つ。他方の板部は、凹部を持ち、第２の筒部３０の雄螺子部３２に対応する雌螺子部６２を持つ。
【００３４】
組み立ては、第２の蓋部６０の１つを雌螺子部６２が上になるように置き、第２の蓋部６０の雌螺子部６２と第２の筒部３０の雄螺子部３２を螺合する。第２の筒部３０の中に遺骨７０を収納する。収納後、２つ目の第２の蓋部６０の雄螺子部６１と、第２の筒部３０の上端の雌螺子部３１を螺合することで、遺骨７０を密閉する。
次に、２人目の遺骨７０を収納する際は、新たな第２の筒部３０の雄螺子部３２を第２の蓋部６０の雌螺子部６２に螺合することにより、２段目の収納部分ができる。２人目の遺骨７０を収納し、骨壺１の最上部の端部に三番目の第２の蓋部６０を固定することで、一体化した骨壺１が完成する。
尚、上下の向きについては、上記実施例と逆転させる態様であっても構わない。
【００３５】
このように、本実施例によって、１人目の遺骨７０を露出することなく、２人目の遺骨７０を収納できる。また、第２の筒部３０の表面の記載が薄くなっても、骨壺１の上下関係は、形状から明確であるので、上下の取違は発生しないため、安置作業が容易になる。
【産業上の利用可能性】
【００３６】
本発明に係る骨壺は、合祀等の需要が高まる現況にあって、複数の遺骨を近くに共に安置したいと願う故人や残された家族の願望を実現するための技術として、産業上の利用可能性は大きいと解する。
【符号の説明】
【００３７】
１    骨壺
１０  筒部
１１  雌螺子部
２０  筒部大型
２１  筒部中型
２２  筒部小型
３０  第２の筒部
３１  雌螺子部
３２  雄螺子部
４０  蓋部
４１  雄螺子部
５０  端部用蓋部
５１  中間用蓋部
６０  第２の蓋部
６１  雄螺子部
６２  雌螺子部
７０  遺骨
【要約】      （修正有）【課題】納骨において、複数の遺骨を混在することなく一体に収納することが出来ると共に、収容する個体数に制限がない骨壷を提供する。【解決手段】骨壺１であって、複数の筒部１０と、複数の蓋部４０から成り、筒部の両端部には、螺子部があり、蓋部には、一面または両面に螺子部があり、筒部の螺子部と、蓋部の螺子部は、螺合可能であり、複数の筒部と、複数の蓋部を、螺合により一体化することによって、複数の遺骨を、それぞれ異なる領域に封止可能な構成とする。【選択図】図１【図１】
0006940894.tif 000002
【図２】
0006940894.tif 000003
【図３】
0006940894.tif 000004
【図４】
0006940894.tif 000005
【図５】
0006940894.tif 000006
【図６】
0006940894.tif 000007